(57)【要約】【課題】ベルトの弛みを防止しつつ、装置の小型化を図ることができるプリンタを提供する。【解決手段】プリンタ１は、モータ３の回転軸の一端に固定されたプーリ７と、プラテンローラ１１の回転軸の一端に固定されたプーリ８と、プーリ７及びプーリ８に張架されるベルト９と、プラテンローラ１１の回転軸に回動可能に固定されるロック部材１２と、ロック部材１２に固定され、ベルト９に張力を付与する張力付与部材１０とを備えている。【選択図】図６
2018122441.tif 000002
【特許請求の範囲】
【請求項１】
駆動装置の回転軸の一端に固定される第１のプーリと、
プラテンローラの回転軸の一端に固定される第２のプーリと、
第１のプーリ及び第２のプーリに張架されるベルトと、
前記プラテンローラの回転軸に回動可能に固定される第１部材と、
前記第１部材に固定され、前記ベルトに張力を付与する第２部材と
を備えることを特徴とするプリンタ。
【請求項２】
印刷部及びロック軸を有するヘッド部をさらに備え、
前記第１部材は、前記ベルトからの反力によって前記ロック軸を固定する固定部を備えることを特徴とする請求項１に記載のプリンタ。
【発明の詳細な説明】
【技術分野】
【０００１】
本発明は、プリンタに関する。
【背景技術】
【０００２】
従来より、プラテンローラ用プーリ及び搬送ローラ用プーリにベルトを張架し、プラテンローラ用プーリと搬送ローラ用プーリとの間にテンションプーリを設けたプリンタが知られている（例えば、特許文献１参照）。テンションプーリは、回動部材に設けられ、回動部材の一端にコイルスプリングが取り付けられている。回動部材を適当な位置で固定することで、テンションプーリがベルトに張力を付与する。
【先行技術文献】
【特許文献】
【０００３】
【特許文献１】特開２００２−２００８０９号公報
【発明の概要】
【発明が解決しようとする課題】
【０００４】
上記プリンタでは、ベルトの弛みを防止するために、テンションプーリ、回動部材及びコイルスプリングを使用するが、部品数が多く、プリンタが大型化するおそれがある。また、ベルトに張力を付与するアイドラと呼ばれる市販部品もあるが、アイドラをプリンタに搭載すると、プリンタが大型化するおそれがある。
【０００５】
本発明の目的は、ベルトの弛みを防止しつつ、装置の小型化を図ることができるプリンタを提供することにある。
【課題を解決するための手段】
【０００６】
上記目的を達成するため、明細書に開示されたプリンタは、駆動装置の回転軸の一端に固定される第１のプーリと、プラテンローラの回転軸の一端に固定される第２のプーリと、第１のプーリ及び第２のプーリに張架されるベルトと、前記プラテンローラの回転軸に回動可能に固定される第１部材と、前記第１部材に固定され、前記ベルトに張力を付与する第２部材とを備えることを特徴とするプリンタ。
【発明の効果】
【０００７】
本発明によれば、ベルトの弛みを防止しつつ、装置の小型化を図ることができる。
【図面の簡単な説明】
【０００８】
【図１】本実施の形態に係るプリンタの斜視図である。
【図２】ヘッドユニットが開いた状態のプリンタの斜視図である。
【図３】一部の部品を取り除いたプリンタの斜視図である。
【図４】ロック部材の構成図である。
【図５】張力付与部材が取り付けられたロック部材を示す図である。
【図６】プーリ、ベルト、張力付与部材、プラテンローラ、ロック部材及びロックシャフトの配置関係を示す図である。
【図７】ばねが取りつけられたプリンタの斜視図である。
【図８】（Ａ）は、張力付与部材の斜視図である。（Ｂ）は、Ｃ方向から見た張力付与部材の概略構成図である。（Ｃ）は、Ｄ方向から見た張力付与部材の概略構成図である。（Ｄ）は、Ｅ方向から見た張力付与部材の取付部の構成図である。
【発明を実施するための形態】
【０００９】
以下、図面を参照しながら本発明の実施の形態を説明する。
【００１０】
図１は、本実施の形態に係るプリンタの斜視図である。図２は、ヘッドユニットが開いた状態のプリンタの斜視図である。図３は、一部の部品（レバーなど）を取り除いたプリンタの斜視図である。以下では、便宜上、各図に示すように前後左右方向および上下方向を定義する。
【００１１】
本実施の形態では、プリンタ１は、例えば、サーマルプリンタであり、ＡＴＭ、チケット発券機又はキオスク端末などに搭載される。プリンタ１の種類は、サーマルプリンタに限定されるものではなく、ドットインパクトプリンタ、インクジェットプリンタ及びレーザプリンタでもよい。
【００１２】
図１に示すように、プリンタ１は、筐体２、モータ３，４、ヘッドユニット５、アーム部６、プーリ７，８、ベルト９、第２部材としての張力付与部材１０、レバー１５及びカバー１６を備えている。筐体２は、左右の側面及び底面で構成されている。駆動装置としてのモータ３は、プラテンローラ１１（図２参照）を駆動するためのモータであり、モータ３の回転軸の一端には、第１のプーリとしてのプーリ７が固定されている。プラテンローラ１１の回転軸の一端には、プーリ７と対向するように第２のプーリとしてのプーリ８が固定されている。モータ３の回転軸及びプラテンローラ１１の回転軸は、筐体２の貫通孔（不図示）を介して外部に突出しているため、筐体２に回転可能に固定されている。プーリ７，８には、ベルト９が張架されている。モータ３の回転により、プーリ７が回転し、ベルト９が回転する。ベルト９の回転は、プーリ８を介してプラテンローラ１１を駆動する。張力付与部材１０はプーリ７，８の間に張架されているベルト９に張力を付与する。張力付与部材１０は、樹脂又は金属（例えばスチール）などで構成されている。
【００１３】
モータ４は用紙をカットする刃（不図示）を駆動するためのモータである。ヘッドユニット５は、印刷部としての不図示のサーマルヘッド及びロックシャフト１３（図３参照）を備えている。用紙は、カバー１６とヘッドユニット５の間に搬送されるので、カバー１６は用紙の搬送経路の一部を構成する。ヘッドユニット５は左右の両端から後方に伸びる一対のアーム部６を備え、アーム部６の端部は、筐体２の左右の側面に回転可能に固定されている。
【００１４】
図２，３に示すように、プリンタ１は、ヘッドユニット５を固定するための第１部材としてのロック部材１２を備えている。ロック部材１２はプラテンローラ１１の回転軸に回動可能に固定されている。図３に示すように、張力付与部材１０はロック部材１２に固定されている。ロック部材１２は、図２に示すように、固定部としてのフック部１２４を備えている。また、筐体２の左右の側面には、ロックシャフト１３を収容するための凹部１４が形成されている。
【００１５】
ヘッドユニット５が閉じている場合には、ロックシャフト１３は、凹部１４に収容され、ロック部材１２のフック部１２４によって固定される。つまり、ロック部材１２のフック部１２４によってロックシャフト１３が固定され、上方に移動できないので、ヘッドユニット５を開くことはできない。ヘッドユニット５を開く場合には、ユーザは、レバー１５を図２のＡ方向に押し込む。レバー１５が図２のＡ方向に押し込まれると、レバー１５が張力付与部材１０に接触し、張力付与部材１０が固定されたロック部材１２も図２のＡ方向に回転する。この回転によりロック部材１２のフック部１２４がロックシャフト１３から解除され、ヘッドユニット５を図２のように開くことができる。
【００１６】
図４は、ロック部材１２の構成図である。図５は、張力付与部材１０が取り付けられたロック部材１２を示す図である。図６は、プーリ７，８、ベルト９、張力付与部材１０、プラテンローラ１１、ロック部材１２及びロックシャフト１３の配置関係を示す図である。図７は、ばね２０が取りつけられたプリンタ１の斜視図である。
【００１７】
図４，５に示すように、ロック部材１２は、左右の側面１２１と、底面１２２とを備えている。左右の側面１２１は、ロック部材１２をプラテンローラ１１の回転軸に回動可能に固定するための凹部１２３と、ロックシャフト１３を固定するためのフック部１２４を備えている。さらに、図４に示すように、右の側面１２１の上部には、略水平に曲げられた把手部１２５が形成されている。把手部１２５には貫通孔１２６が形成されている。図５に示すように、張力付与部材１０は把手部１２５に取り付けられる。ここでは、張力付与部材１０及びロック部材１２は別体であるが、張力付与部材１０及びロック部材１２が一体形成されてもよい。
【００１８】
また、ロック部材１２の底面１２２には、図６に示すように、ばね２０を取り付けるためのフック部１２７が形成されている。ばね２０は、図７に示すように、筐体２の底面に固定され、ロック部材１２を図６のＢ方向に付勢する。
【００１９】
図８（Ａ）は、張力付与部材１０の斜視図である。図８（Ｂ）は、Ｃ方向から見た張力付与部材１０の概略構成図である。図８（Ｃ）は、Ｄ方向から見た張力付与部材１０の概略構成図である。図８（Ｄ）は、Ｅ方向から見た張力付与部材１０の取付部１０１の構成図である。
【００２０】
図８（Ａ）〜（Ｃ）に示すように、張力付与部材１０は、ロック部材１２の把手部１２５に取り付けるための取付部１０１と、取付部１０１から略９０度曲げられ水平方向に伸びる水平部１０２と、取付部１０１及び水平部１０２に連結され下方に伸びる垂下部１０３と、垂下部１０３の下端に設けられ、プーリ７，８の間に張架されているベルト９に張力を付与する弾性部１０４とを備えている。弾性部１０４はばね形状を有している。
【００２１】
図８（Ｄ）に示すように、取付部１０１は、ロック部材１２の把手部１２５を挿入するための空間１０５と、ロック部材１２の把手部１２５に固定される固定部１０６と、固定部１０６上に形成された突起１０７とを備えている。ロック部材１２の把手部１２５が空間１０５に挿入された場合に、固定部１０６は破損しないようにするため弾性変形可能である。固定部１０６上の突起１０７が把手部１２５の貫通孔１２６に挿入され、取付部１０１はロック部材１２の把手部１２５に固定される。
【００２２】
尚、張力付与部材１０をロック部材１２の把手部１２５に固定する方法は、上記の例に限定されるものではない。例えば、ロック部材１２の把手部１２５は張力付与部材１０の取付部１０１に圧入されてもよいし又は接着剤で固定されてもよい。
【００２３】
また、張力付与部材１０の形状は、図８（Ａ）〜（Ｃ）に示す形状に限定されるものではない。ヘッドユニット５が閉じている場合に、張力付与部材１０がプーリ７，８の間に張架されているベルト９に接触し、張力を付与すれば、張力付与部材１０はどのような形状でもよい。
【００２４】
本実施の形態では、図６に示すように、ロック部材１２をＢ方向（反時計回り）に付勢するばね２０が設けられている。しかしながら、ベルト９が図６のＦ方向（反時計回り）に回転する場合、張力付与部材１０が固定されたロック部材１２は、ベルト９からロック部材１２をＢ方向に回転させる反力を受けるので、ばね２０を削除することができる。ばね２０を削除する場合には、ロック部材１２の底面１２２からばね２０を取り付けるためのフック部１２７を削除してもよい。また、ベルト９からのロック部材１２をＢ方向に回転させる反力は、ロック部材１２のフック部１２４をヘッドユニット５のロックシャフト１３に固定する機能を向上させることができる。
【００２５】
以上説明したように、本実施の形態によれば、プリンタ１は、モータ３の回転軸の一端に固定されるプーリ７と、プラテンローラ１１の回転軸の一端に固定されるプーリ８と、プーリ７及びプーリ８に張架されるベルト９と、プラテンローラ１１の回転軸に回動可能に固定されるロック部材１２と、ロック部材１２に固定され、ベルト９に張力を付与する張力付与部材１０とを備えている。従って、ベルト９に張力を付与する張力付与部材１０がヘッドユニット５を固定するためのロック部材１２に固定されるので、ベルトの弛みを防止しつつ、装置の小型化を図ることができる。
【００２６】
尚、本発明は、上述した実施の形態に限定されるものではなく、その要旨を逸脱しない範囲内で種々変形して実施することが可能である。
【符号の説明】
【００２７】
１  プリンタ
２  筐体
３，４  モータ
５  ヘッドユニット
７，８  プーリ
９  ベルト
１０  張力付与部材
１１  プラテンローラ
１５  レバー
【図１】
2018122441.tif 000003
【図２】
2018122441.tif 000004
【図３】
2018122441.tif 000005
【図４】
2018122441.tif 000006
【図５】
2018122441.tif 000007
【図６】
2018122441.tif 000008
【図７】
2018122441.tif 000009
【図８】
2018122441.tif 000010